【手続補正書】
【提出日】平成26年3月11日(2014.3.11)
【手続補正１】
【補正対象書類名】明細書
【補正対象項目名】０００３
【補正方法】変更
【補正の内容】
【０００３】
本明細書で説明する技術および概念は、公知または周知であるとの明示的な断りがない限り、その文脈、定義、または比較に関するものを含め、これまでに公知であり、または先行技術の一部であったと解釈すべきものではない。この明細書で文献を引用する場合、特許、特許出願、および出版物を含むそれらすべての引用文献は、すべての目的について具体的に盛り込まれているかどうかにかかわらず、参照によりその全体が本明細書に組み込まれるものとする。
この出願の発明に関連する先行技術文献情報としては、以下のものがある（国際出願日以降国際段階で引用された文献及び他国に国内移行した際に引用された文献を含む）。
（先行技術文献）
（特許文献）
（特許文献１）  米国特許第６６７８８２３号明細書
（特許文献２）  米国特許第６３４７０５１号明細書
（特許文献３）  米国特許第６３４１０８５号明細書
（特許文献４）  米国特許第８１２５８２７号明細書
（特許文献５）  米国特許出願公開第２０１０／００９１５３５号明細書
（特許文献６）  米国特許出願公開第２０１０／０１３１８０９号明細書
（特許文献７）  米国特許出願公開第２０１１／００３２７６０号明細書
（特許文献８）  米国特許出願公開第２０１１／０１８２１１９号明細書
（特許文献９）  韓国特許第１０−２０１０−００１０７４６号公報
（特許文献１０）  国際公開第２０１３／１６６２００号
（特許文献１１）  米国特許第７６５６７０７号明細書
（特許文献１２）  米国特許出願公開第２０１０／００３４０２１号明細書
（特許文献１３）  米国特許出願公開第２０１０／００２０６１１号明細書
（特許文献１４）  米国特許出願公開第２００９／０００３０５７号明細書
（特許文献１５）  米国特許出願公開第２００７／０１７１７１４号明細書
（特許文献１６）  米国特許出願公開第２００９／０２４１０１０号明細書
（特許文献１７）  米国特許出願公開第２００８／００２２１８９号明細書
（特許文献１８）  米国特許出願公開第２００９／００２４９０５号明細書
（特許文献１９）  米国特許出願公開第２００９／０１７７９４３号明細書
（特許文献２０）  米国特許出願公開第２００８／０２５０３００号明細書
（特許文献２１）  米国特許出願公開第２０１２／０１５１２８６号明細書
（特許文献２２）  米国特許第５０９９４８４号明細書
（特許文献２３）  米国特許出願公開第２００６／０２４２５４２号明細書
（特許文献２４）  米国特許出願公開第２００８／０２５０２７０号明細書
（特許文献２５）  米国特許出願公開第２０１０／００１７６５０号明細書
（特許文献２６）  米国特許出願公開第２０１０／００１７６４９号明細書
（特許文献２７）  国際公開第２００８／０９９７２３号
（特許文献２８）  米国特許第６５９４７２８号明細書
（特許文献２９）  米国特許第５６５１１３５号明細書
（特許文献３０）  米国特許出願公開第２００５／０２４０７３１号明細書
（特許文献３１）  国際公開第２０１２／０９９９３７号
（特許文献３２）  米国特許第５６６６５１２号明細書
（特許文献３３）  米国特許第７１１７３９７号明細書
（特許文献３４）  米国特許第７６８１１０９号明細書
（特許文献３５）  米国特許第７７３９５７６号明細書
（特許文献３６）  米国特許第７８０９９９４号明細書
（特許文献３７）  米国特許出願公開第２００８／０３１６８１９号明細書
（特許文献３８）  米国特許出願公開第２００８／００９４９０７号明細書
（特許文献３９）  米国特許出願公開第２０１０／０１００７６４号明細書
（特許文献４０）  韓国特許第１０−２０１０−００７６４４７号公報
（特許文献４１）  国際公開第２００９／１１４６１８号
（特許文献４２）  国際公開第２０１２／０７５２００号
（特許文献４３）  国際公開第２０１２／０５８３２８号
（非特許文献）
（非特許文献１）  Ｓ．Ｌｉ，Ｔ．Ｚｈａｎｇ，"Ｉｍｐｒｏｖｉｎｇ  Ｍｕｌｔｉ−Ｌｅｖｅｌ  ＮＡＮＤ  Ｆｌａｓｈ  Ｍｅｍｏｒｙ  Ｓｔｏｒａｇｅ  Ｒｅｌｉａｂｉｌｉｔｙ  Ｕｓｉｎｇ  Ｃｏｎｃａｔｅｎａｔｅｄ  ＢＣＨ−ＴＣＭ  Ｃｏｄｉｎｇ"ｉｎ  ＩＥＥＥ  Ｔｒａｎｓａｃｔｉｏｎｓ  ｏｎ  Ｖｅｒｙ  Ｌａｒｇｅ  Ｓｃａｌｅ  Ｉｎｔｅｇｒａｔｉｏｎ（ＶＬＳＩ）Ｓｙｓｔｅｍｓ，Ｖｏｌ．１８，Ｎｏ．１０，Ｏｃｔｏｂｅｒ  ２０１０，ｐａｇｅｓ  １４１２−１４２０（９  ｓｈｅｅｔｓ）．
（非特許文献２）  Ｒ．Ｍｉｃｈｅｌｏｎｉ，Ｌ．Ｃｒｉｐｐａ，Ａ，Ｍａｒｅｌｌｉ，"ＩｎｓｉｄｅＮＡＮＤＦｌａｓｈＭｅｍｏｒｉｅｓ"Ｓｐｒｉｎｇｅｒ  Ｓｃｉｅｎｃｅ  ＋Ｂｕｓｉｎｅｓｓ  Ｍｅｄｉａ  Ｂ．Ｖ．２０１０  ＩＳＢＮ  ９７８−９０−４８１−９４３０−８，ｐａｇｅｓ  ３８−４３  ａｎｄ  ｒｅｌａｔｅｄ  ｆｏｏｔｎｏｔｅ  ｐａｇｅｓ  ５２−５３，ｆｏｒｍａｔｔｅｄ  ａｓ  ４  ｓｈｅｅｔｓ．
（非特許文献３）  Ｒ．Ｍｉｃｈｅｌｏｎｉ，Ｌ．Ｃｒｉｐｐａ，Ａ，Ｍａｒｅｌｌｉ，"ＩｎｓｉｄｅＮＡＮＤＦｌａｓｈＭｅｍｏｒｉｅｓ"Ｓｐｒｉｎｇｅｒ  Ｓｃｉｅｎｃｅ  ＋Ｂｕｓｉｎｅｓｓ  Ｍｅｄｉａ  Ｂ．Ｖ．２０１０  ＩＳＢＮ  ９７８−９０−４８１−９４３０−８，ｐａｇｅｓ  ５１５−５３６，ｆｏｒｍａｔｔｅｄ  ａｓ  １２  ｓｈｅｅｔｓ．
（非特許文献４）  Ｃｈａｎｉｋ  Ｐａｒｋ，Ｐｒａｋａｓｈ  Ｔａｌａｗａｒ，Ｄａｅｓｉｋ  Ｗｏｎ，ＭｙｕｎｇＪｉｎ  Ｊｕｎｇ，ＪｕｎｇＢｅｅｎ  Ｉｍ，Ｓｕｋｓａｎ  Ｋｉｍ  ａｎｄ  Ｙｏｕｎｇｊｏｏｎ  Ｃｈｏｉ，"Ａ  Ｈｉｇｈ  Ｐｅｒｆｏｒｍａｎｃｅ  Ｃｏｎｔｒｏｌｌｅｒ  ｆｏｒ  ＮＡＮＤ  Ｆｌａｓｈ−ｂａｓｅｄ  Ｓｏｌｉｄ  Ｓｔａｔｅ  Ｄｉｓｋ  （ＮＳＳＤ），"ｉｎ  Ｎｏｎ−ｖｏｌａｔｉｌｅ  Ｓｅｍｉｃｏｎｄｕｃｔｏｒ  Ｍｅｍｏｒｙ  Ｗｏｒｋｓｈｏｐ（ＮＶＳＭＷ）  Ｄｉｇｅｓｔ  Ｔｅｃｈｎｉｃａｌ  Ｐａｐｅｒｓ，２００６，ｐｐ．１７−２０（４  ｓｈｅｅｔｓ）．
（非特許文献５）  Ｋ．  Ｔａｋｅｕｃｈｉ，"ＮＡＮＤ  Ｓｕｃｃｅｓｓｆｕｌ  ａｓ  ａ  Ｍｅｄｉａ  ｆｏｒ  ＳＳＤ"ＩＥＥＥ  Ｉｎｔｅｒｎａｔｉｏｎａｌ  Ｓｏｌｉｄ−Ｓｔａｔｅ  Ｃｉｒｃｕｉｔｓ  Ｃｏｎｆｅｒｅｎｃｅ  Ｔｕｔｏｒｉａｌ  Ｔ７，２００８，ｒｏｔａｔｅｄ，Ｐａｇｅｓ  １−８１（８１  ｓｈｅｅｔｓ）．
（非特許文献６）  ＩＮＴＥＲＮＡＴＩＯＮＡＬ  ＳＥＡＲＣＨ  ＲＥＰＯＲＴ  ｉｎ  ｒｅｌａｔｅｄ  ｃａｓｅ  ＰＣＴ／ＵＳ２０１３／０３９１３８，１０  ｐａｇｅｓ
（非特許文献７）  ＩＮＴＥＲＮＡＴＩＯＮＡＬ  ＳＥＡＲＣＨ  ＲＥＰＯＲＴ  ＡＮＤ  ＷＲＩＴＴＥＮ  ＯＰＩＮＩＯＮ  ｉｎ  ｔｈｅ  ｐａｒｅｎｔ  ＰＣＴ／ＵＳ２０１１／０２８２４４，１２  ｐａｇｅｓ
（非特許文献８）  Ｊ．Ｓ．Ｐｌａｎｋ  ａｎｄ  Ｍ．Ｇ．Ｔｈｏｍａｓｏｎ．"Ｏｎ  ｔｈｅ  Ｐｒａｃｔｉｃａｌ  Ｕｓｅ  ｏｆ  ＬＤＰＣ  Ｅｒａｓｕｒｅ  Ｃｏｄｅｓ  ｆｏｒ  Ｄｉｓｔｒｉｂｕｔｅｄ  Ｓｔｏｒａｇｅ  Ａｐｐｌｉｃａｔｉｏｎｓ"，Ｔｅｃｈｎｉｃａｌ  Ｒｅｐｏｒｔ  ＣＳ−０３−５１０，Ｕｎｉｖｅｒｓｉｔｙ  ｏｆ  Ｔｅｎｎｅｓｓｅｅ，Ｓｅｐｔｅｍｂｅｒ  ２００３，１５  ｐａｇｅｓ．
（非特許文献９）  ＤＥＶＡＮＧ  ＰＡＮＣＨＩＧＡＲ"ＥＭＣ  Ｓｙｍｍｅｔｒｉｘ  ＤＭＸ  −  ＲＡＩＤ  ６  Ｉｍｐｌｅｍｅｎｔａｔｉｏｎ"  ２００９−０２−２７，ｈｔｔｐ：／／ｓｔｏｒａｇｅｎｅｒｖｅ．ｃｏｍ／２００９／０２／２７／ｅｍｃ−ｓｙｍｍｅｔｒｉｘ−ｄｍｘ−ｒａｉｄ−６−ｉｍｐｌｅｍｅｎｔａｔｉｏｎ／，９  ｐａｇｅｓ
（非特許文献１０）  Ｈ．ＰＥＴＥＲ  ＡＮＶＩＮ，"Ｔｈｅ  ｍａｔｈｅｍａｔｉｃｓ  ｏｆ  ＲＡＩＤ−６"  Ｌａｓｔ  ｕｐｄａｔｅｄ  ２０  Ｄｅｃｅｍｂｅｒ  ２０１１，ｈｔｔｐｓ：／／ｗｗｗ．ｋｅｒｎｅｌ．ｏｒｇ／ｐｕｂ／ｌｉｎｕｘ／ｋｅｒｎｅｌ／ｐｅｏｐｌｅ／ｈｐａ／ｒａｉｄ６．ｐｄｆ，  ａｃｃｅｓｓｅｄ  ｏｎ  Ｓｅｐｔｅｍｂｅｒ  ３０，  ２０１３，９  ｐａｇｅｓ
（非特許文献１１）  Ａｄｖａｎｃｅｄ  Ｃｏｍｐｕｔｅｒ  &  Ｎｅｔｗｏｒｋ  Ｃｏｒｐｏｒａｔｉｏｎ，"ＲＡＩＤ  Ｌｅｖｅｌ  ６：  Ｉｎｄｅｐｅｎｄｅｎｔ  Ｄａｔａ  Ｄｉｓｋｓ  ｗｉｔｈ  Ｔｗｏ  Ｉｎｄｅｐｅｎｄｅｎｔ  Ｐａｒｉｔｙ  Ｓｃｈｅｍｅｓ"，    ｈｔｔｐ：／／ｗｗｗ．ａｃｎｃ．ｃｏｍ／ｒａｉｄｅｄｕ／６，ａｃｃｅｓｓｅｄ  ｏｎ  Ｓｅｐｔｅｍｂｅｒ  ３０，２０１３，２  ｐａｇｅｓ
（非特許文献１２）  ＩＮＴＥＲＮＡＴＩＯＮＡＬ  ＳＥＡＲＣＨ  ＲＥＰＯＲＴ  ＡＮＤ  ＴＨＥ  ＷＲＩＴＴＥＮ  ＯＰＩＮＩＯＮ  ｉｎ  ｔｈｅ  ｒｅｌａｔｅｄ  ＰＣＴ／ＵＳ１２／２１６８２，９  ｐａｇｅｓ
（非特許文献１３）  ＩＮＴＥＲＮＡＴＩＯＮＡＬ  ＳＥＡＲＣＨ  ＲＥＰＯＲＴ  ｉｎ  ｒｅｌａｔｅｄ  ＰＣＴ／ＵＳ２０１１／０６２７２６，３  ｐａｇｅｓ
（非特許文献１４）  ＴＨＥ  ＷＲＩＴＴＥＮ  ＯＰＩＮＩＯＮ  ｉｎ  ｒｅｌａｔｅｄ  ＰＣＴ／ＵＳ２０１１／０６２７２６，３  ｐａｇｅｓ
（非特許文献１５）  ＩＮＴＥＲＮＡＴＩＯＮＡＬ  ＳＥＡＲＣＨ  ＲＥＰＯＲＴ  ＡＮＤ  ＴＨＥ  ＷＲＩＴＴＥＮ  ＯＰＩＮＩＯＮ  ｉｎ  ｒｅｌａｔｅｄ  ＰＣＴ／ＵＳ２０１１／０５７９１４，９  ｐａｇｅｓ